Podtech/llm-jp-corpus-v4-ja_patent huggingface dataset:
(57)【要約】【課題】  ＡＣサーボモータのモータ損失を低減化するとともにコギングトルクの増大化を防止することができる同期電動機用ステータとその電動機を提供することを目的とする。【解決手段】  ステータ鉄心の歯部の内周側を連結した分割鉄心構造にて、ヨーク部鉄心１の径方向のヨーク幅５が歯部鉄心２の歯部幅６の半分よりも狭く、かつ、ヨーク部鉄心１の軸方向の長さヨーク部鉄心長７が歯部鉄心の軸方向の長さ歯部鉄心長８よりも長い電動機のステータである。【選択図】    図１
2008228527.tif 000002
【特許請求の範囲】
【請求項１】
積層されたリング状のヨーク部鉄心と、前記ヨーク部鉄心の内周側に等間隔で配列されかつ積層された歯部鉄心と、隣り合う前記歯部鉄心の内周側を連結した橋絡部とを設けたステータ鉄心において、
前記ヨーク部鉄心の径方向の幅が前記歯部鉄心の周方向の幅の半分よりも狭く、かつ、前記ヨーク部鉄心の軸方向の長さが前記歯部鉄心の軸方向の長さよりも長いことを特徴とするステータ鉄心。
【請求項２】
前記ヨーク部鉄心は、前記歯部鉄心よりも珪素含有率の多い電磁鋼板を用いたものであることを特徴とする請求項１記載のステータ鉄心。
【請求項３】
前記ヨーク部鉄心は、前記歯部鉄心よりも板厚の薄い電磁鋼板を用いたものであることを特徴とする請求項１記載のステータ鉄心。
【請求項４】
前記ヨーク部鉄心は、アモルファス合金を用いたものであることを特徴とする請求項１記載のステータ鉄心。
【請求項５】
請求項１から請求項４記載のステータ鉄心と、隣り合う前記歯部鉄心の間に形成されたスロットに装入したステータコイルとからなることを特徴とする電動機のステータ。
【請求項６】
請求項５記載の電動機のステータと、前記ステータの内周側に空隙を介して設けたロータとからなることを特徴とする電動機。
【発明の詳細な説明】
【技術分野】
【０００１】
本発明は、ＡＣサーボモータ用ステータ鉄心の構成に関する。
【背景技術】
【０００２】
従来のＡＣサーボモータは、空隙部の磁気エネルギーの変化を緩和しコギングトルクを低減化するために歯部鉄心の内周側を連結する（例えば、特許文献１参照）などの方法がとられていた。
図３は、従来のステータ鉄心の構造を示す側断面図である。図４はスロット部の構成を示す展開図である。図において、１はヨーク部鉄心、２は歯部鉄心、３はコイル、４は歯部鉄心２の連結橋絡部、５はヨーク幅、６は歯部幅、７はヨーク部鉄心長、８は歯部鉄心長である。
ヨーク部鉄心１の軸方向の長は、図３に示すように歯部鉄心４の軸方向の長と同一の長さとなっている。また、ヨーク幅は図４に示すように歯部幅の１／２以上となっている。
ステータ鉄心としてヨーク部鉄心１の磁気断面積は、スロット内の漏れ磁束を考慮して歯部鉄心４の磁気断面と同等以上の寸法比とし、各積層鉄心の材料としては同一の材料を用いている。
【特許文献１】特開平６−５４４６８号公報
【発明の開示】
【発明が解決しようとする課題】
【０００３】
ところが、ＡＣサーボモータは、小形軽量化と制御性に多大の悪影響を与えるコギングトルクの低減化が必要となる。モータの銅損を低減するためにスロット面積を大きくした場合、ステータ鉄心の磁気飽和により磁気エネルギー変化が増大しコギングトルクが大きくなるなどの問題があった。又、モータの鉄損を低減するための低鉄損材料は、内周側を連結した橋絡部の打ち抜き加工性に問題があり使用できなかった。
本発明はこのような問題点に鑑みてなされたものであり、モータの損失を低減化するとともにコギングトルクの増大化を防止することができるＡＣサーボモータ用のステータとこれを用いた電動機を提供することを目的とする。
【課題を解決するための手段】
【０００４】
上記問題を解決するため、本発明は、次のように構成したものである。
請求項１に記載の発明は、積層されたリング状のヨーク部鉄心と、前記ヨーク部鉄心の内周側に等間隔で配列されかつ積層された歯部鉄心と、隣り合う前記歯部鉄心の内周側を連結した橋絡部とを設けたステータ鉄心において、前記ヨーク部鉄心の径方向の幅が前記歯部鉄心の周方向の幅の半分よりも狭く、かつ、前記ヨーク部鉄心の軸方向の長さが前記歯部鉄心の軸方向の長さよりも長いものである。
請求項２に記載の発明は、前記ヨーク部鉄心が前記歯部鉄心よりも珪素含有率の多い電磁鋼板を用いたものである。
請求項３に記載の発明は、前記ヨーク部鉄心が前記歯部鉄心よりも板厚の薄い電磁鋼板を用いたものである。
請求項４に記載の発明は、前記ヨーク部鉄心がアモルファス合金を用いたものである。
請求項５に記載の発明は、請求項１から請求項４記載のステータ鉄心と、隣り合う前記歯部鉄心の間に形成されたスロットに装入したステータコイルとからなる電動機のステータである。
請求項６に記載の発明は、請求項５記載の電動機のステータと、前記ステータの内周側に空隙を介して設けたロータとからなる電動機である。
【発明の効果】
【０００５】
請求項１に記載の発明によると、ヨーク部鉄心の径方向の幅を歯部鉄心の幅よりも狭くし、ヨーク部の長さを歯部の長さよりも長くすることにより、コギングトルクが問題とならない磁気断面積を確保することができ、これらによりスロット面積を大きして銅損を低減することができる。
また請求項２、３，４に記載の発明によると、ヨーク部鉄心は単純形状なため打ち抜き加工性に優れており、歯部鉄心の材料よりも低鉄損の材料を使用することができるため鉄損を低減することができる。
請求項５、６に記載の発明によると、コギングトルクが小さく、打ち抜き加工性のよい安価な電動機を得ることができる。                      
【発明を実施するための最良の形態】
【０００６】
以下、本発明の実施の形態について図を参照して説明する。
【実施例１】
【０００７】
図１は、本発明の同期電動機用ステータ鉄心の側断面図、図２はスロット部の構成を示す図である。図の符号は従来例で述べたものと同じである。図１において、ヨーク部鉄心長７は歯部鉄心長８より長くしている。また図２のヨーク幅は歯部幅の１／２以下としている。
したがって、コギングトルクを小さくでき、打ち抜き加工性に優れている。また、歯部鉄心の材料よりも低鉄損の材料を使用することができるため鉄損を低減することができ、安価な電動機を得ることができる。                      
本発明が従来技術と異なる部分は、ヨーク部の径方向の幅が前記歯部の幅よりも狭く、かつ、軸方向の長さとしてヨーク部の長さが歯部の長さよりも長いことである
【図面の簡単な説明】
【０００８】
【図１】本発明の実施例を示す同期電動機用ステータ鉄心の側断面図
【図２】本発明の実施例を示す同期電動機用ステータ鉄心の構成を示す展開図
【図３】従来の同期電動機用ステータ鉄心を示す側断面図
【図４】従来の同期電動機用ステータ鉄心の構成を示す展開図
【符号の説明】
【０００９】
１  ヨーク部鉄心
２  歯部鉄心
３  コイル
４  連結橋絡部
５  ヨーク幅
６  歯部幅
【図１】
2008228527.tif 000003
【図２】
2008228527.tif 000004
【図３】
2008228527.tif 000005
【図４】
2008228527.tif 000006
(57)【要約】【課題】人の生活環境の向上にともない、ダニは人の居住空間の様々な場所に生息するようになった。それにともない多種多様なダニ捕獲材の開発が行われている。しかし、従来のダニ捕獲材の抱える課題として、ダニ捕獲材の性能の良し悪しに関わらず、ダニの捕獲の有無を簡易的に行うことが出来ていないというのが現状である。本発明はダニ捕獲材において、ダニの捕獲の有無を目視によって容易に確認できるダニ捕獲材の構造、及びその方法を提供する。【解決の手段】ダニ捕獲材の捕獲部に平面構造の粘着性のシートを使用し、シートに白・黄・黒・青のいずれかの色を基調とした色を施すことによって、ダニの体色変化を利用し、捕獲したダニを目視によって簡易的に確認することを可能にする方法である。【選択図】なし【特許請求の範囲】
【請求項１】
ダニの体色変化によるダニの確認方法。
【請求項２】
白・黄・黒・青のいずれかの色を基調とした粘着シートによるダニ捕獲材。
【請求項３】
平面構造の粘着シートによるダニの目視確認方法。
【請求項４】
請求項１から請求項３を用いたダニ捕獲材。
【請求項５】
請求項１から請求項３の全て、またいずれか二種類を組み合わせてつくられるダニ捕獲材。
【請求項６】
請求項１から請求項３を単独または二つ以上を用いたものとダニに対する誘引剤とを組み合わせてつくられるダニ誘引捕獲材。
【請求項７】
請求項２から請求項３の粘着シートのシート素材は、紙又は合成樹脂膜による。
【請求項８】
請求項２から請求項３の粘着シートの粘着剤は合成ゴム系又はアクリル系粘着剤による。
【発明の詳細な説明】
【技術分野】
【０００１】
本発明は、ダニの目視による確認方法、及び当該ダニ目視確認方法を用いたダニ捕獲材に関する。
【背景技術】
【０００２】
人の住居は、高い密閉性とエアコンなど暖房器具の普及により、一年を通してダニにとって好ましい環境が整えられ、住居空間におけるダニの繁殖を助長している。人の居住空間におけるダニの生息はアレルギー性疾患や、皮膚炎の原因となるため、ダニの駆除が要望されている。
【０００３】
ダニの駆除をも目的とした製品として、床などに直接設置するタイプのものや、マット状の構造にダニ誘引剤を配合したダニ捕獲材。また、ダニ駆除剤をカーペットや寝具に噴きつけるスプレータイプの製品など様々なダニ駆除製品が開発されている。
【０００４】
ダニの駆除製品の開発にともない、製品の効果を判断するために、ダニの確認方法の発明が求められている。既存の開発にはニンヒドリン試薬を用いたものなどが発明されているが、コストや確認までの工程が容易ではないため、現実的な方法ではない。
【０００５】
また、主な駆除の対象となるダニの種類としてコナヒョウダニやヤケヒョウダニが挙げられるが、これらの種は体長が約0.4ｍｍと非常に小さいため、そのままの状態での目視よる確認は不可能とされてきた。しかし、ダニを色の施された平面構造の粘着シートに誘引し捕獲することによって、目視による方法でも簡易的に駆除されたダニを確認できるということは知られていない。
【発明の開示】
【発明が解決しようとする課題】
【０００６】
本発明は、ダニの目視による簡易的な確認方法、及びダニの捕獲の有無を確認することが出来るダニ捕獲材を提供する。
【課題を解決するための手段】
【０００７】
本発明は、白・黄・黒・青のいずれかの色を基調とした粘着シートにダニを捕獲することによって、ダニの体色との違いを明瞭にし目視でも簡易的にダニの存在を確認することが出来る方法を提供する。また、粘着シートを平面構造にすることにより、シートを斜めから覗き込むことによって、シート上捕獲されたダニのおうとつが出来ることにより、さらにハッキリとダニの存在を確認することができるダニの目視による確認方法である。これらの発明を用いることで、ダニ捕獲材の効果を明確にし、ダニ捕獲材を選ぶ判断基準となり、ダニ捕獲材がより使用しやすい製品にすることを可能にする。
【発明の効果】
【０００８】
本発明に係るダニの確認方法は簡便で新規性の非常に高いダニの確認方法である。従って、ダニ捕獲材及びダニ誘引捕獲材において、ダニの捕獲の有無を容易に行うことを可能にし、ダニ捕獲材及びダニ誘引捕獲材の普及を促し、ダニ捕獲材及びダニ誘引捕獲材の効果を判断するうえでの、新しい判断基準を提供することを可能にする。
【発明を実施するための最良の形態】
【０００９】
ダニの体色として、主に白色から半透明の淡い白色とされている。しかし、そのダニの状態や湿度などの環境条件により、ダニは体色を褐色に近い色に変化させる。この体色変化はダニの存在する背景の色との違いを明瞭にするのに非常に重要なはたらきをする。
【００１０】
ダニを捕獲する粘着シートに白・黄・黒・青のいずれかの色を基調とした色を施すことによりダニを目視によって確認可能となり、ダニが褐色に体色を変化させたものについてはさらに容易に目視により確認することが可能となる。
【００１１】
この場合、ダニの体色を明瞭に表す粘着シートの色調として、最も有効であるのは白色を基調としたものと考えられる。次いで肌色などの黄色を基調とした色、そして黒色を基調としたもの、青色を基調としたものが挙げられる。
【００１２】
また、シートを平面構造にすることにより、ダニの捕獲された粘着シートを斜めから観察することにより、シート状にダニによるおうとつが容易に確認される。この方法を合わせて行うことはダニの目視確認をさらに容易に、そして正確なものにする。
【００１３】
本発明は、シート上にダニを捕獲することが必要となるため、本発明とダニの誘引剤及び誘引成分を合わせて用いることで、簡便な方法によりダニの誘引捕獲を行い、それにより捕獲されたダニの確認を行うことが出来る。
【００１４】
本発明は粘着性のシートを使用するため、ダニ以外にチリやホコリがシートに付着し、ダニの目視確認の妨げになってしまう恐れがある。そのためシートのまわりに布などを用いて囲いを設けるのも、有効な手段である。この場合、布地からの飛散物を抑えるために、化学合成繊維を用いることが好ましい。しかし、これはシートにおけるチリやホコリの粘着を防ぐものであるため、その構造やそれを構成する繊維や成分を限定するものではない。
【００１５】
本発明の粘着シートのシート素材は、紙又は合成樹脂膜による。
【００１６】
本発明の粘着シートの粘着剤は合成ゴム系又はアクリル系粘着剤による。
(57)【要約】【課題】ゴルフのスイング練習でクラブフェースをボールにヒットする時正しい角度と軌道の動作を導き促す反復練習によって体に覚えさせるゴルフスイング軌道修得用補助具を提供する。【解決手段】ゴルフのスイング練習でクラブフェースをボールにヒットする時本発明の目安棒Ａ２−１、目安棒Ｂ２−２目及び安形板３にクラブヘッドが接触させないよう正しい角度と軌道に動作を導き促す反復練習によって体に覚えさせることでスイングプレーンの修得が出来ることとした。【選択図】  図１
2008228938.tif 000002
【特許請求の範囲】
【請求項１】
基台（１）を構成する部材は一方が細幅の長尺部材（１−１）でもう一方が同じ細幅寸法の短尺部材（１−２）になっていて、それぞれの間隔が並行にかつそれぞれの後端が太幅部材（１−３）と直角に連なり全体がコ字状に形成され、長尺部材（１−１）と短尺部材（１−２）の先端にはそれぞれ細長い目安棒Ａ（２−１）と目安棒Ｂ（２−２）が反転部材で接続され垂直に立てて取り付けられ、太幅部材（１−３）の上方には長手方向に沿って目安板（３）が反転部材と接続され垂直に立てて取り付けられて構成したことを特徴とするゴルフスイング軌道修得用補助具。
【発明の詳細な説明】
【技術分野】
【０００１】
本発明はゴルフのスイング練習を行なう際、ゴルフクラブフェースをボールにヒットさせる時正しい角度と軌道に動作を導き促す反復練習によってスイングプレーンを体に覚えさせる為のゴルフスイング軌道修得用補助具に関する。
【背景技術】
【０００２】
特開平９−２５３２６１号公報にはゴルフスイング矯正器が提案されているがクラブフェースをボールにヒットさせる時正しい角度と軌道に導くものではない。
【特許文献１】特開平９−２５３２６１号公報
【発明の開示】
【発明が解決しようとする課題】
【０００３】
ゴルフのプレーあるいは練習の際、ゴルフクラブフェースをボールにヒットさせる時正しい角度及び軌道でスイングができないとフック（ボールが左に曲がる）、スライス（ボールが右に曲がる）、トップ（ボールの上面を叩きライナーになる）、ダブり（ボールの後ろを叩き飛距離がでない）等の球筋になってしまう。本発明は前記それぞれの課題を解消する為になされたものである。
【課題を解決するための手段】
【０００４】
請求項１のゴルフスイング軌道修得用補助具（以下本発明という）は基台１を構成する部材は一方が細幅の長尺部材１−１でもう一方が同じ細幅寸法の短尺部材１−２になっていて、それぞれの間隔が並行にかつそれぞれの後端が太幅部材１−３と直角に連なり全体がコ字状に形成され、長尺部材１−１と短尺部材１−２の先端にはそれぞれ細長い目安棒Ａ２−１と目安棒Ｂ２−２が反転部材で接続され垂直に立てて取り付けられ、太幅部材１−３の上方には長手方向に沿って目安板３が反転部材と接続され垂直に立てて取り付けられて構成したことを特徴とする。
【０００５】
本発明の各部材は合成樹脂製又はゴム製の成形加工品でも良い。
【０００６】
本発明の目安棒Ａ２−１、目安棒Ｂ２−２、目安板３に接続された反転部材はボールジョイント、蝶番、軸付き回転具等でも良い。
【０００７】
本発明の基台１はゴルフクラブヘッドの幅によって長尺部材１−１と短尺部材１−２の幅を並行に可変できるものでも良い。
【０００８】
本発明の基台１の目安板３はゴルフクラブシャフトの長さによって高さを可変できるものでも良い。
【０００９】
本発明の基台１の太幅部材１−３には一般に使用されている練習用マットの穴に差し込んで立てるゴムティ用の穴と同一口径の穴を設け、前記練習用マットの穴を介してしてゴムティを太幅部材１−３に設けた穴に差込み、閂の役目としてクラブヘッドが目安棒Ａ２−１、目安棒Ｂ２−２、目安板３に接触しても基台１の移動を防止できるものでも良い。 
【００１０】
本発明の目安棒Ａ２−１、目安棒Ｂ２−２、目安板３はそれぞれ基台１を付帯しないで一
般に使用されている練習用マット上のそれぞれの位置に直接反転部材と接続して垂直に立てて取り付けたものでも良い。
【発明の効果】
【００１１】
本発明を用いて一般に使用されている練習用マット等の上に乗せ目安棒Ａ２−１と目安棒Ｂ２−２の中間にボールを置きゴルフクラブを握り、アドレスの姿勢からスイングに入りクラブフェースをボールにヒットする時、先ず目安板３に、次に目安棒Ａ２−１と目安棒Ｂ２−２の間をそれぞれにクラブヘッドが接触させないよう通過させることにより正しい角度と軌道に動作を導き促す反復練習によって体に覚させスイングプレーンの修得が成される。
【００１２】
本発明を用いて一般に使用されている練習用マット等の上に乗せ目安棒Ａ２−１と目安棒Ｂ２−２の中間にボールを置きゴルフクラブを握り、アドレスの姿勢からスイングに入りクラブフェースをボールにヒットする時正しい角度と軌道で通過がなされないで目安棒Ａ２−１、目安棒Ｂ２−２、目安板３の何れかにクラブヘッドが接触すると、目安棒Ａ２−１、目安棒Ｂ２−２、目安板３の何れかに接続されている反転部材によって転倒するため正しい角度と軌道のスイングが成されていないことに気付き、正しい角度と軌道でクラブフェースが通過する動作を導き促す反復練習によって体に覚させスイングプレーンの修得が成される。
【発明を実施するための最良の形態】
【００１３】
以下本発明の実施例について図面を用いて説明をする。
【実施例１】
【００１４】
図１は本発明の基台１を構成する部材は一方が細幅寸法２０ｍｍ、長さ３６０ｍｍの長尺部材１−１でもう一方が同じ細幅寸法２０ｍｍ、長さ２１０ｍｍの短尺部材１−２になっていて、それぞれの間隔が並行にかつそれぞれの後端が幅４０ｍｍ、長さ１９０ｍｍの太幅部材１−３と直角に連なり全体がコ字状に形成され、長尺部材１−１と短尺部材１−２の先端にはそれぞれ直径９ｍｍ、高さ４０ｍｍの目安棒Ａ２−１と目安棒Ｂ２−２が反転部材で接続され垂直に立てて取り付けられ、太幅部材１−３の上方には長手方向に沿って幅１２０ｍｍ、高さ８０ｍｍの目安板３が反転部材と接続され垂直に立てて取り付けられて構成し、ゴルフボール及びゴルフクラブのスイング軌道線を表し、実施例を示した平面図である。
【実施例２】
【００１５】
図２は実施例１の斜視図である。
【産業上の利用可能性】
【００１６】
本発明を用いればゴルフ練習時のゴルフスイングでクラブフェースをボールにヒットする時、目安棒Ａ２−１、目安棒Ｂ２−２の間と目安板３にそれぞれクラブヘッドを接触させないよう正しい角度と軌道で通過する動作を導き促す反復練習によって体に覚えさせることでゴルフ練習場及び家庭等で行うスイング練習時に便宜が向上する。
【図面の簡単な説明】
【００１７】
【図１】本発明のゴルフスイング軌道修得用補助具の平面図である。（実施例１）
【図２】本発明のゴルフスイング軌道修得用補助具の斜視図である。（実施例２）
【符号の説明】
【００１８】
１  基台
１−１  長尺部材
１−２  短尺部材
１−３  太幅部材
２−１  目安棒Ａ
２−２  目安棒Ｂ
３  目安板
【図１】
2008228938.tif 000003
【図２】
2008228938.tif 000004
(57)【要約】【課題】例えば、皮下組織の比較的表面部分に、ヒアルロン酸などの薬液を注入する場合に、神経終末や血管などが存在する脂肪層にまで針先が到達する虞が少なく、繰り返し行なったとしても、常に適正な位置に針先を留めることが可能な注射針を提供する。【解決手段】皮膚表面の表皮１２に薬液を注入する針本体の少なくとも先端部分が、延出方向に向かって予め湾曲して形成されていることを特徴とする。【選択図】図１
2008228993.tif 000002
【特許請求の範囲】
【請求項１】
薬液を注入する針本体の少なくとも先端部分が、延出方向に向かって予め湾曲して形成されていることを特徴とする注射針。
【発明の詳細な説明】
【技術分野】
【０００１】
本発明は注射針に関する。
【背景技術】
【０００２】
一般に、皮膚組織における真皮の内部には、ヒアルロン酸が存在する。このヒアルロン酸は、タンパク質と結合して細胞のすきまを埋める多糖類である。また、水となじみやすい親水性であるため、肌のハリや弾性を保つ保水の役割がある。
【０００３】
ここで、美容外科の分野では、このヒアルロン酸に着目し、加齢によるシワ、あるいは乾燥によるシワを根本的に解消する目的で、ヒアルロン酸の皮膚表皮への投与が行なわれている。
【０００４】
ところで、生体組織内へのヒアルロン酸などの薬液投与を注射で行う場合、皮下組織の比較的表面部分に行ない、ここから皮膚深部へと浸透させるのが一般的である。
また、薬剤の投与に使用される注射器は、円筒状のシリンダと、可動式のピストンとを有するものが知られているが、例えば、予防接種などでは、スタンプ式で薬剤が注入される場合もある。
【０００５】
このように注射器あるいはスタンプ式などにより、薬液を注入する場合、注射針の生体組織内への刺す方向によっては、針先端部が真皮を越えて、神経終末、分泌線、血管などが存在する脂肪層にまで達してしまう虞があった。
【発明の開示】
【発明が解決しようとする課題】
【０００６】
本発明は、このような実情に鑑み、例えば、皮下組織の比較的表面部分にヒアルロン酸などの薬液を注入する場合に、神経終末や血管などが存在する脂肪層にまで針先が到達する虞を可及的に少なくし、常に適正な位置に針先を留めることが可能な注射針を提供することを目的としている。
【課題を解決するための手段】
【０００７】
上記目的を達成するための本発明に係る注射針は、
薬液を注入する針本体の少なくとも先端部分が、延出方向に向かって予め湾曲して形成されていることを特徴としている。
【０００８】
このような構成の本発明によれば、針先の先端部が皮下組織の内部に深く入ろうとしても深く入ることができない。
本発明に係る注射針は、薬液が注入される薬液カートリッジに接続されても良い。
【０００９】
さらに、本発明に係る注射針は、円筒状のシリンダに直接具備されていても良い。
【発明の効果】
【００１０】
本発明に係る注射針によれば、針先端を皮下組織の内部に差し込んだ場合に、針先端部の形状に沿って曲がるように進むので、体の内部に深く入り込んでしまうことはない。
このような注射針は、糖尿病患者が用いるインシュリンの注射器のように、針の先端に薬液を塗布しておき、対象物に押し付けるような注射器にも適用可能である。また、シリンダとピストンを備えた通常の注射器にも適用可能である。
【００１１】
さらには、スタンプ式で薬液を注入する注射器などにも適用可能である。
【発明を実施するための最良の形態】
【００１２】
以下、本発明の好ましい実施の形態について、図面に示した実施例を参照しながら説明する。
図１は本発明の一実施例による注射器を示したものである。
【００１３】
この注射器２は、薬液が注入されるシリンジ４と、このシリンジ４内に挿入されるロッド６と、シリンジ４にカートリッジ式で装着される針注射部８とから構成されている。そして、針注射部８に本実施例による注射針１０が接続されている。
【００１４】
注射針１０は、先端部が延出方向に向かって予め湾曲して形成されている。
したがって、このように注射針１０が予め湾曲された注射器２を用いる場合に、図２に示したように、皮下組織に対し、湾曲した針先端部１０ａ側を上向きにし、斜め方向から上方に向かってゆっくりと挿入すれば、その針先端部１０ａは、表皮１２に沿って前進する。これにより、神経終末や分泌線、血管などが存在する真皮１４に針先が到達することは良い。また、注入されるヒアルロン酸などは、表皮１２の内部に注入され、この部分から皮膚深部に浸透される。これにより、身体内のヒアルロン酸と一緒になってみずみずしい肌を長期間に渡って、持続させることができる。また、結果として、小ジワができた部分にハリを持たせることができる。
【００１５】
以上、本発明の一実施例について説明したが、本発明は上記実施例に何ら限定されない。例えば、上記実施例では、注射針１０がカートリッジ式になっているタイプについて説明したが、これに限定されない。
【００１６】
例えば、インシュリンなどの薬液を患者が自ら注射するペン型注射器にも適用可能である。また、図３に示したように予防接種などに用いられるスタンプ式の注射器にも適用可能である。このように、複数の注射針２０が設置される注射器にも適用可能である。注射する薬液は、ヒアルロン酸やインシュリンなどに何ら限定されない。また、注射する部位は、腕、尻などの他、頭皮あるいは眉であっても良い。
【００１７】
さらに、本発明でいうところの湾曲とは、針先を斜めに刺した場合に、進む方向に曲がっていくことを意味しており、注射針１０のように全体を円弧状に大きく湾曲させても良く、あるいは注射針２０のように、先端部の一部のみを屈曲させることも本発明の適用範囲内である。
【図面の簡単な説明】
【００１８】
【図１】図１は本発明の一実施例による注射器を示した概略断面図である。
【図２】図２は図１の注射器を用いて実際に注射した場合の概略図である。
【図３】図３は本発明の他の実施例による注射器の要部を示す概略側面図である。
【符号の説明】
【００１９】
２      注射器
４      シリンジ
６      ロッド
８      針注射部
１０    注射針
１０ａ  先端部
１２    表皮
１４    真皮
２０    注射器
【図１】
2008228993.tif 000003
【図２】
2008228993.tif 000004
【図３】
2008228993.tif 000005
(57)【要約】【課題】ローズウォーターは、従来化粧品原料、天然香料として供されていた為、国内では飲用ようとして提供することに制限が大きかった。無添加のローズウォーター原料を飲料用として、安価でかつ、簡易に携帯・使用できる品物を提供できることを課題とした。【解決手段】以上の課題を解決するために、第一発明は、原料を食品（油など）で輸入し、食品加工ラインでの製造を可能とすることである。  また、第二発明は、品質の保全を図ると同時に安価でかつ、簡易に携帯・使用できる加工方法として、アルミ分包を採用したことである。【選択図】図１
2008228720.tif 000002
【特許請求の範囲】
【請求項１】
ローズウォーターを食品（油など）として輸入し、飲料水に添加することで飲料とする。
【請求項２】
ローズウォーター原料を分包化し、携帯及び使用の利便性を図る。
【発明の詳細な説明】
【技術分野】
【０００１】  この発明は、従来化粧品として一般に認知されている「ローズウォーター」（バラ花びら水蒸気蒸留水）を食品（油など）として輸入し、簡易に飲料できる分包化するものである。
【背景技術】
【０００２】  従来のローズウォーターを食品として輸入し、清涼飲料水などにおける液体分包技術を転用するものである。
【発明の開示】
【発明が解決しようとする課題】
【０００３】  ローズウォーターは、従来化粧品原料、天然香料として供されていた為、国内では飲用ようとして提供することに制限が大きかった。無添加のローズウォーター原料を飲料用として、安価でかつ、簡易に携帯・使用できる品物を提供できることを課題とした。
【課題を解決するための手段】
【０００４】  以上の課題を解決するために、第一発明は、原料を食品（油など）で輸入し、食品加工ラインでの製造を可能とすることである。
また、第二発明は、品質の保全を図ると同時に安価でかつ、簡易に携帯・使用できる加工方法として、アルミ分包を採用したことである。
【発明の効果】
【０００５】  第一発明、または第二発明によれば、今まで飲料用として供されていないローズウォーター原料（無添加）を安価で、携帯にも適した状態にて大量に生産することが可能となる。
【発明を実施するための最良の形態】
【０００６】  この発明の一実施形態を、図１に示す。【０００７】「実施形態の効果」
この実施形態によれば、１回分のローズウォーターを簡易に携帯することができ、いつ、いかなる場所でも、飲用する人間の好みに応じて飲料水などに薄めて飲用することが可能である。【０００８】「他の実施形態」
図１の実施形態では、特に携帯性に重点を置いたが、ガラスボトルなど保存性の高い大容量の容器に保存することも可能である。
【産業上の利用可能性】
【０００９】  可能である。
【図面の簡単な説明】
【００１０】
【図１】この発明の一実施形態を示す平面図である。
【図１】
2008228720.tif 000003
(57)【要約】【課題】  心地よい食感を残しながら、小麦本来の味を希釈させることなく、風味的に消費者の嗜好を満足させることができるうどんを提供する。【解決手段】  小麦粉とタピオカ等の澱粉とを主原料とするうどんにおいて、前記主原料に麦汁が添加された原料からなるうどん。【選択図】  なし【特許請求の範囲】
【請求項１】
小麦粉とタピオカ等の澱粉とを主原料とするうどんにおいて、前記主原料に麦汁が添加された原料からなることを特徴とするうどん。
【発明の詳細な説明】
【技術分野】
【０００１】
本発明は、小麦粉、タピオカ等の澱粉を主原料としたうどんに関する。
【背景技術】
【０００２】
従来より、うどんに、食感、色調、栄養成分等の差別化を図る方法として、うどんの製造工程において、主原料の小麦粉に、穀類、根菜類、豆類等を製粉したものを、混練し、加水して製造した生地を作ることは常識となっている。特にもちもちと粘りの強い食感のうどんを製造する場合、小麦粉にタピオカ等の澱粉を加え、食塩水を加えて混練し、生地を作ることが提案されていた。タピオカ等の澱粉はアミロペクチン量が多いため、熱を加えると非常にねばりが強くなるという作用が働き、これを用いて製造されたうどんはもちもちと粘りの強い食感となる。
【発明の開示】
【発明が解決しようとする課題】
【０００３】
しかし、タピオカ等の澱粉は、上記食感を付与できるという長所がある反面、麦本来の味（風味）を希釈ないしは損ねるという短所があり、麦本来の風味を好む消費者の嗜好を満足させることができないという問題点があった。
【０００４】
そこで、本発明は、心地よい食感を残しながら、麦本来の味が保たれた、風味的に消費者の嗜好を満足させることができるうどんを提供することを目的とする。
【課題を解決するための手段】
【０００５】
上記目的を達成するため、本発明のうどんは、小麦粉とタピオカ等の澱粉とを主原料とするうどんにおいて、前記主原料に麦汁が添加された原料からなることを特徴とする。
【０００６】
本発明によれば、主原料に麦汁を含有させることにより、小麦粉にタピオカ等の澱粉を加えることで得られる「心地よい食感」に、麦汁から放たれる「麦本来の味（風味）」を加味することで、食感的・風味的に消費者の嗜好を満足させることができるうどんを提供することができる。
【発明の効果】
【０００７】
心地よい食感を残しながら、麦本来の味を希釈させることなく、風味的に消費者の嗜好を満足させることができるうどんを提供することができる。
【発明を実施するための最良の形態】
【０００８】
以下、本発明のうどんの一実施形態について説明する。
【０００９】
本実施形態のうどんは、主原料として小麦粉９５重量％〜６０重量％およびタピオカ等の澱粉５重量％〜４０重量％の原料粉を用いる。他方、小麦の麦汁に食塩を加えて原料液とし、この原料液を前記原料粉に加え、混練する。前記原料液は前記原料粉１００に対し、重量比で３０〜６０であり、前記食塩は前記原料粉１００に対し、重量比１〜７である。小麦の麦汁を得るために用いる小麦の麦芽は、原料粉１００に対し、重量比５〜４０である。
【００１０】
小麦粉としては、強力粉、薄力粉などの市販されているものでよい。これは粘弾性を発揮できるためである。
【００１１】
澱粉としては、エーテル化澱粉またはアセチル化澱粉であればよく、タピオカが好ましい。なおタピオカは、キャッサバの根部を原料とし、糊化しやすく、保水力が高いという特性の他、膨潤力、溶解性に優れ、また老化しにくく、冷凍、融解の繰り返しによっても安定な糊液をつくることができるものである。さらに熱を加えると非常にねばりが強くなるという作用が働き、これを用いて製造されたうどんはもちもちと粘りの強い食感となる。
【００１２】
小麦の麦汁は、小麦の麦芽を粉砕又は製粉し、水を加えて煮たもろみ（おかゆ状のもの）を搾ることで得られる。
【００１３】
なお、麦汁の具体的な製造方法として、
（１）発芽させた小麦を乾燥し、丸ごと又は粉砕し水に浸漬し、ろ過して溶液状の小麦の麦汁を得る。
（２）発芽させた小麦を乾燥し、丸ごと又は粉砕し湯で煮て、ろ過して溶液状の小麦の麦汁を得る。
（３）発芽させた小麦を乾燥し、丸ごと又は粉砕し炒って水に浸漬し、ろ過して溶液状の小麦の麦汁を得る。
（４）発芽させた小麦を乾燥し、丸ごと又は粉砕し炒って湯で煮て、ろ過して溶液状の小麦の麦汁を得る。
【００１４】
これらの単体又は混合してできた溶液状の麦汁を、原液又は濃縮液にして利用することができる。なお、小麦の麦汁にかえて、大麦等の他の種類の麦の麦汁を用いてもよい。その製法、重量比等は小麦の場合と同様である。
【００１５】
また、うどんに、食感、色調、栄養成分等の差別化を図るために、小麦粉に製粉した穀類、根菜類、豆類等を添加しても良い。
【００１６】
次に、うどんの製造方法について説明する。
【００１７】
うどんの製造方法は、うどんの原料粉（小麦粉、澱粉）に原料液（麦汁、食塩）を加えて混練して生地を作り、その後、圧延して、所定のサイズに切り落とすという、常法である。
【００１８】
なお、冷凍うどんを製造する場合、糊化（アルファ化）を施すことが好ましい。この糊化とは、主にうどん原料に含まれる澱粉を糊化する工程で、茹上げ処理や蒸し処理などにより行なわれる。糊化により澱粉のミセル構造が破壊され、水の存在により粘度が高くなり、好ましい状態となる。そして、糊化したうどんを水洗いした後、急速冷凍する。
【実施例１】
【００１９】
（原料粉）
・小麦粉        ８５重量％
・タピオカ澱粉  １５重量％
（原料粉１００に対する麦芽等の重量比）
・小麦の麦芽      ２０
・食塩              ５
（原料比…重量比）
原料粉：原料液＝１００：５０
これらの材料を混練機に入れて２０分間混練し、幅５００ｍｍ、厚さ４０ｍｍのうどん生地を形成し、常温（２０℃）で９０分間熟成させる。そして複数段のローラーにより圧延する。ついでこのうどん生地を切刃で幅３ｍｍに切り落とし、湯で茹でると、本実施例のうどんができる。
【実施例２】
【００２０】
（原料粉）
・小麦粉                        ８５重量％
・タピオカ澱粉                    ８重量％
・穀類、根菜類、豆類等の添加物    ７重量％
（原料粉１００に対する麦芽等の重量比）
・小麦の麦芽                    ２５
・食塩                            ７
（原料比…重量比）
原料粉：原料液＝１００：４７
これらの材料を混練機に入れて２０分間混練し、幅５００ｍｍ、厚さ４０ｍｍのうどん生地を形成し、常温（２０℃）で９０分間熟成させる。そして複数段のローラーにより圧延する。ついでこのうどん生地を切刃で幅５ｍｍに切り落とし、湯で茹でると、本実施例のうどんができる。
【００２１】
実施例１や実施例２のうどんによれば、心地よい食感を残しながら、麦本来の味を希釈させることなく、風味的に消費者の嗜好を満足させることができるうどんを提供することができる。
【産業上の利用可能性】
【００２２】
本発明のうどんは、心地よい食感を残しながら、麦本来の味を希釈させることなく、風味的に消費者の嗜好を満足させることができるので有用である。
(57)【要約】【課題】従来ホウ酸だんご５はゴキブリを殺すのに用いられた。それが普及しないのは死んだゴキブリが家のどこかにいるので不快なためである、そこで死んだゴキブリを粘着液３に付けて捨てる物を提供する。【解決手段】粘着液３を部分的に塗った物に塗らない誘道路１と迷路２を設けてホウ酸だんご５をゴキブリに食べさせ弱らせて柵４を越えられず迷路２をさまよいながら粘着液３に付いて全滅するなお柵４は直立でもよいがより効果を確実にするため中央え傾斜にして設けゴキブリが入り易く出られないようにするなお柵４は止具６で固定する。【選択図】図１
2008228719.tif 000002
【特許請求の範囲】
【請求項１】
粘着液３を部分的に塗った物に塗らない誘道路１と迷路２を設け誘道路１の奥に中央え傾斜にした柵４を設けたゴキブリ全滅。
【発明の詳細な説明】
【技術分野】
【０００１】この発明は、粘着液３を部分的に塗った物に塗らない誘道路１と柵４を設けゴキブリを中央迄入れてホウ酸だんご５を食べさせ弱らせて迷路２をさまよい粘着液３に付けて全滅させるものである。
【背景技術】
【０００２】従来ホウ酸だんご５はゴキブリの大好物で殺すのに用いられた。
【発明の開示】
【発明が解決しようとする課題】
【０００３】これはつぎのような問題点があった。
ホウ酸だんご５でゴキブリを殺すのは良いことですが死んだゴキブリが家のどこかにいることが不快のため普及しない。
本発明は以上のような欠点をなくすためになされたものである。
【課題を解決するための手段】
【０００４】粘着液３を塗った物に塗らない誘道路１とその奥に柵４を設けゴキブリを中央迄入れてホウ酸だんご５を食べさせて弱らせ迷路２をふらふらとして粘着液３について全滅する。
【発明の効果】
【０００５】粘着液３を部分的に塗った物に塗らない誘道路１とその奥に中央え傾斜にして中え入り易く出られない柵４を設けゴキブリがホウ酸だんご５を食べて弱って迷路２をさまよい粘着液３に付いて全滅する。
【発明を実施するための最良の形態】
【０００６】以下本発明の実施例について説明する。
粘着液３を部分的に塗った物に誘道路１と迷路２の形をした１部分の物を貼っても良いし
粘着液３を節約するためには誘道路１と迷路２の形を残して他の部分丈に塗る柵４はゴキブリが越えられるに中央え傾斜にする底面を覆うかまたは囲うホウ酸だんご５はゴキブリの好きな物を混入しまた他の物で代用出来る。
【図面の簡単な説明】
【０００７】
【図１】本発明の底面の平面図である。
【符号の説明】
【０００８】１  誘道路  ２  迷路  ３  粘着液  ４  柵  ５  ホウ酸だんご
【図１】
2008228719.tif 000003
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
粘着液３を部分的に塗った物に塗らない誘道路１と迷路２を設け誘道路１の奥に中央え傾斜にした柵４を設け止具６で固定したゴキブリ全滅。
【手続補正２】
【補正対象書類名】明細書
【補正対象項目名】全文
【補正方法】変更
【補正の内容】
【発明の詳細な説明】
【技術分野】
【０００１】この発明は、粘着液３を部分的に塗った物に塗らない誘道路
2008228719.tif 000004
させ弱らせて迷路２をさまよい粘着液３に付けて全滅させるものである。
【背景技術】
【０００２】従来ホウ酸だんご５はゴキブリの大好物で殺すのに用いられた。
【発明の開示】
【発明が解決しようとする課題】
【０００３】これはつぎのような問題点があった。
ホウ酸だんご５でゴキブリを殺すのは良いことですが死んだゴキブリが家のどこかにいることが不快のため普及しない。
本発明は以上のような欠点をなくすためになされたものである。
【課題を解決するための手段】
【０００４】粘着液３を塗った物に塗らない誘道路１とその奥に柵４を設け止具６で固定するゴキブリを
2008228719.tif 000005
について全滅する。
【発明の効果】
【０００５】粘着液３を部分的に塗った物に塗らない誘道路１とその奥に中央え傾斜にして中え入り易く出られない柵４を設けゴキブリがホウ酸だんご５を食べて弱って迷路２をさまよい粘着液３に付いて全滅する。
【発明を実施するための最良の形態】
【０００６】以下本発明の実施例について説明する。
粘着液３を部分的に塗った物に誘道路１と迷路２の形をした１部分の物を貼っても良いし
粘着液３を節約するためには誘道路１と迷路２の形を残して他の部分丈に塗る柵４はゴキブリが超えられるに中央え傾斜にする底面を覆うかまたは囲うホウ酸だんご５はゴキブリの好きな物を混入しまた他の物で代用出来る。
【図面の簡単な説明】
【０００７】
【図１】本発明の底面の平面図である。
【符号の説明】
【０００８】１  誘道路    ２  迷路    ３  粘着液    ４  柵    ５  ホウ酸だんご    ６  止具
【手続補正３】
【補正対象書類名】図面
【補正対象項目名】全図
【補正方法】変更
【補正の内容】
【図１】
2008228719.tif 000006
(57)【要約】【課題】従来の海老天婦羅のころもには海老の風味が少なく、ころも部分のみ食した場合に、海老を食している実感がなく、海老本体を食する時と同様にころもに海老の風味が欲しいところであった。海老天婦羅には尾尻を付けているが、尾尻は硬いことから食べ残しが多かった。【解決手段】海老の尾尻を粉末加工し、ころもに混入することにより、ころもを含めた海老天婦羅全てを満喫することができと共に、尾尻の食べ残しの発生はないことを特徴としている。【特許請求の範囲】
【請求項１】
海老天婦羅のころもに海老の尾尻を加工し、ころもに混入した、海老尾尻風味の海老天婦羅ころも。
【発明の詳細な説明】
【技術分野】
【０００１】この発明は、海老天婦羅のころもの原料である小麦粉などに海老尾尻を混入する海老天婦羅もろもに関するものである。
【背景技術】
【０００２】従来の海老天婦羅のころもには、海老の尾尻に使用されていない。
【発明の開示】
【発明が解決しようとする課題】
【０００３】これは次のような欠点があった。
（イ）海老天婦羅のころもは、海老の風味を付けていないために、海老の身ところもを同時に食さなければ、海老天婦羅を食したとの実感がなかった。
（ロ）海老テンプラを食した大半の人は、尾尻を食べ残し廃棄となる。
本発明は、これらの欠点を除くためになされたものである。
【課題を解決するための手段】
【０００４】海老より尾尻を切取り、これを熱処理し、粉末加工後、ころもの原料である小麦粉などに混入することにより、ころもに海老風味をつける。
本発明は、以上の構成よりなる海老天婦羅ころもである。
【発明の効果】
【０００５】海老天婦羅のころもに海老風味がついたことにより、ころも部分のみを食した場合においても、海老風味を感じることができる。
尾尻の食べ残し残しがない。
【発明を実施するための最良の形態】
【０００６】以下、本発明を実施する最良の方法について説明する。
海老より尾尻を切取り、大型海老においては、これを自然乾燥させた後、炭火などによる熱処理。小型海老においては切取った後、食用油にて熱処理を行なう。各熱処理後、この尾尻を粉末状に加工し、天婦羅ころもの原料とする。
(57)【要約】【課題】高野豆腐、凍り豆腐をこまかくし調味をし煮き上げた後、乾燥させ、ご飯にふりかけて提共する【解決手段】高野豆腐▲１▼凍り豆腐▲２▼をこまかく（ちりめん）▲３▼し、たまり醤油、みりん、酒で調味▲４▼し、白ゴマ、粉山椒を入れ煮き上げた後、乾燥▲５▼し、ご飯にふりかけて提共するのを特徴とする．【選択図】図１
2008228721.tif 000002
【特許請求の範囲】
【請求項１】
豆腐を調味し、乾燥したちりめん豆腐
【発明の詳細な説明】
【技術分野】
【０００１】この発明は高野豆腐▲１▼凍り豆腐▲２▼をこまかく（ちりめん）▲３▼したちりめん豆腐に関するものである
【背景技術】
【０００２】従来に類をみない商品です．
【発明の開示】
【発明が解決しようとする課題】
【０００３】従来○高野豆腐、凍り豆腐を調味すると保存が短い
○水分、ダシが多いため、持ち運びが不便
○型がくずれやすい
○調味する手間がある
○食べたい時にすぐに食べれない
本発明は以上のような欠点をなくすためになされたものである
【課題を解決するための手段】
【０００４】高野豆腐▲１▼凍り豆腐▲２▼をこまかく（ちりめん）▲３▼します．たまり醤油、みりん、酒で調味▲４▼し、白ゴマ、粉山椒を入れて、煮き上げた後乾燥▲５▼します．
本発明は以上の構成によるちりめん豆腐である
【発明の効果】
【０００５】○日持ちがする（密閉容器に入れて冷蔵庫で１ヶ月）真空状態ならさらに日持ちが可能です
○高野豆腐、凍り豆腐を使っているため大豆の栄養分（大豆イソフラボン、大豆たんぱく質、大豆ペプチド）など手軽に摂取できる
○ゴマを使っているためゴマの栄養分（セサミン、セサモリン、セサミノール）など手軽に摂取できる
○市販の高野豆腐、凍り豆腐で簡単に作れる
○ご飯にふりかければ、それだけで大豆とゴマの栄養分が摂取できる
○今までにない新しい豆腐料理の一品になる
○おにぎりの具として使えば、画期的な新商品になる
○水分がなく、軽いので、持ち運びが楽である
○型くずれがしない
○全国の豆腐料理店でも使える
○調味しなくても手軽で直に食べれる
○現代人に必要な栄養素（イソフラボン、セサミン）など簡単に摂取できる
○アイデア次第で色々な料理ができる
【発明を実施するための最良の形態】
【０００６】以下、本発明を実施するための最良の形態について説明する
高野豆腐▲１▼凍り豆腐▲２▼を２ｍｍ〜４ｍｍに包丁でこまかく切り▲３▼タレ（みりん５００ｍｌ、日本酒５００ｍｌを火にかけてアルコール分をとばし、たまり醤油５００ｍｌ、砂糖１３０ｇ味素３０ｇを加え、冷ましたもの）▲４▼を用意し、こまかくした高野豆腐▲１▼凍り豆腐▲２▼１５０ｇに対し、タレ▲４▼４５０ｇ、水１００ｇを鍋で煮き上げ、水分が無くなってから煎った白ゴマ６０ｇ粉山椒５〜７ｇを混ぜ加え調理バットに移し、天火のガス台を弱火にして混ぜながら乾燥▲５▼させる．こまかい高野豆腐▲１▼凍り豆腐▲２▼を指でつまんで水分が出ないくらいまで乾燥させる
本発明は以上のような構造である
【図面の簡単な説明】
【０００７】
【図１】本発明の実物図である
【符号の説明】
【０００８】１．高野豆腐
２．凍り豆腐
３．こまかくする（ちりめん）
４．佃煮
５．ふりかけ
【図１】
2008228721.tif 000003
【図２】
2008228721.tif 000004
【手続補正書】
【提出日】平成19年6月4日(2007.6.4)
【手続補正２】
【補正対象書類名】明細書
【補正対象項目名】０００７
【補正方法】変更
【補正の内容】
【０００７】
【図１】本発明の実物図である
【図２】本発明の平面図である
(57)【要約】【目的】  テレビや映画の被撮影者が、原稿内容や台詞、ディレクターからの連絡事項など読み取ったたり、読み上げたりする際に、いかにも視聴者に視線を向けながら発言したり演技していると感じさせるよう撮影する方法【構成】  本発明は、テレビや映画の非撮影者に正対する表示装置に、原稿内容や台詞、ディレクターからの連絡事項などを表示して、非撮影者に読み取らせたり、読み上げさせたりしながら、当該表示装置の中央の空隙に置いた撮影装置もしくは表示装置の中央に組み込んだ撮像素子などによって被撮影者を撮影することで、非撮影者がテレビや映画の視聴者に、いかにも視線を向けながら発言したり、演技していると感じさせるよう撮影する方法。【選択図】図３
2008118605.tif 000002
【特許請求の範囲】
【請求項１】
テレビや映画の非撮影者に正対する表示装置に、原稿内容や台詞、ディレクターからの連絡事項などを表示して、非撮影者に読み取らせたり、読み上げさせたりしながら、当該表示装置の中央の空隙に置いた撮影装置もしくは表示装置の中央に組み込んだ撮像素子などによって被撮影者を撮影することで、非撮影者がテレビや映画の視聴者に、いかにも視線を向けながら発言していると感じさせるよう撮影する方法。
【発明の詳細な説明】
【技術分野】
【０００１】  本発明は、テレビや映画の非撮影者に正対する表示装置に、原稿内容や台詞、ディレクターからの連絡事項などを表示して、非撮影者に読み取らせたり、読み上げさせたりしながら、当該表示装置の中央の空隙に置いた撮影装置もしくは表示装置の中央に組み込んだ撮像素子などによって被撮影者を撮影することで、非撮影者がテレビや映画の視聴者に、いかにも視線を向けながら発言したり演技していると感じさせるよう撮影する方法に関するものである。
【背景技術】
【０００２】  従来技術では、テレビや映画の被撮影者が、原稿内容や台詞、ディレクターからの連絡事項などを読み取ったり、読み上げる際に、撮影装置の近傍に表示装置を置くことで、その内容を表示装置から読み取る方法がとられていた。
【発明の開示】
【発明が解決しようとする課題】
【０００３】  上述したように、従来の方法では、テレビや映画の被撮影者が、原稿内容や台詞、ディレクターからの連絡事項などを読み取ったり、読み上げる際に、被撮影者は撮影装置から目線をそらし、別に置かれた表示装置を見る必要があった。そのため、視聴者からは、被撮影者の視線が視聴者から逸れ、不自然に感じられる欠点を有している。【０００４】  本発明は、上記従来の問題に鑑みてなされたものであって、テレビや映画の非撮影者に正対する表示装置に、原稿内容や台詞、ディレクターからの連絡事項などを表示して、非撮影者に読み取らせたり、読み上げさせたりしながら、当該表示装置の中央の空隙に置いた撮影装置もしくは表示装置の中央に組み込んだ撮像素子などによって被撮影者を撮影することで、非撮影者がテレビや映画の視聴者に、いかにも視線を向けながら発言したり演技していると感じさせるよう撮影する方法を提供することを目的としている。
【課題を解決するための手段】
【０００５】  本発明は、上記課題を解決するために提案されたものであって、本発明の形態は、テレビや映画の非撮影者に正対する表示装置に、原稿内容や台詞、ディレクターからの連絡事項などを表示して、非撮影者に読み取らせたり、読み上げさせたりしながら、当該表示装置の中央の空隙に置いた撮影装置もしくは表示装置の中央に組み込んだ撮像素子などによって被撮影者を撮影する方法である。
【発明の効果】
【０００６】  本発明の形態によれば、テレビや映画の被撮影者が、原稿内容や台詞などを表示装置から読み取っているにもかかわらず、いかにも視聴者に視線を向けながら発言したり、演技していると感じさせるよう撮影できることが可能になる。【０００７】  本発明の形態によれば、テレビや映画の被撮影者が、表示装置に表示されるディレクターからの指示を読み取ったり、確認する動作が、撮影装置や撮像素子から視線を大きく動かさずに実行できるため、視聴者からは気づかれずに自然な形の撮影が可能となる。【０００８】  本発明の形態によれば、表示対象を非撮影者自身とすることで、被撮影者が見る側から見た映像として自らの表情を確認したり、表情をコントロールできるため、被撮影者が自らで演技の練習をしたり、演出したりすることが可能となる。
【発明を実施するための最良の形態】
【０００９】  以下、本発明に係る撮影方法の実施の形態を、添付する図１〜図４に基づいて詳細に説明する。【００１０】  図１は、本発明に係る撮影装置の構成を示す図である。撮影装置（２）は、表示装置（１）の中央の空隙に置かれ非撮影者を撮影する。原稿内容や台詞、ディレクターからの連絡事項などは、外部コントロール装置（４）から表示装置（１）に伝送され、表示される。【００１１】  図２は、本発明に係る撮影装置の配置の構成を示す図である。撮影装置（２）は、非撮影者に正対した表示装置（１）の中央の空隙に置かれ、非撮影者（５）を撮影する。表示装置（１）には、原稿内容や台詞、ディレクターからの連絡事項などが、外部コントロール装置（４）から伝送される。【００１２】  図３は、本発明に係る撮影装置の構成を示す図である。表示装置（１）の中央に組み込まれた撮像素子（３）により非撮影者を撮影する。原稿内容や台詞、ディレクターからの連絡事項などは、外部コントロール装置（４）から表示装置（１）に伝送され、表示される。【００１３】  図４は、本発明に係る撮影装置の配置の構成を示す図である。撮像素子（３）は、非撮影者に正対した表示装置（１）の中央に組み込まれ、非撮影者（５）を撮影する。表示装置（１）には、原稿内容や台詞、ディレクターからの連絡事項などが、外部コントロール装置（４）から伝送される。
【産業上の利用可能性】
【００１４】  本発明の形態によれば、テレビや映画の被撮影者が、表示装置に表示される原稿内容や台詞、ディレクターからの指示を読み取ったり、確認する動作が、撮影装置や撮像素子から視線を大きく動かさずに実行できるため、視聴者からは気づかれずに自然な形の撮影が可能となると同時に、被撮影者が自らの表情を、見る側から見た映像として確認しながらコントロールできるため、被撮影者が自らで演技の練習をしたり、演出したりすることが可能となる。そのために、メディア業界や、映画・映像産業の発展にとって有益な手段を提供することとなる。
【図面の簡単な説明】
【００１５】
【図１】本発明に係る撮影装置の配置の構成を示す図である。
【図２】本発明に係る撮影装置の構成を示す図である。
【図３】本発明に係る撮影装置の配置の構成を示す図である。
【図４】本発明に係る撮影装置の構成を示す図である。
【符号の説明】
【００１６】    １      表示装置
２      撮影装置
３      撮像素子
４      外部コントロール装置（パーソナルコンピュータ、サーバー）
５      出演者
【図１】
2008118605.tif 000003
【図２】
2008118605.tif 000004
【図３】
2008118605.tif 000005
【図４】
2008118605.tif 000006